(57)【要約】【課題】組立工定数が少なく、容易に組み立てることができ、かつガイドプレート側でのワイヤプローブ装置の先端部の突出長を一定の長さになるように調整することができる検査冶具及びワイヤプローブ装置を提供する。【解決手段】ワイヤプローブとこの一方の端部に端子部が連結されており、該端子部側を、電線に接続されたプローブソケットを圧入固定してなるプローブソケット固定プレートの該ソケットに接続して用いられるワイヤプローブ装置において、該端子部が該プローブソケットに嵌合するように形成されていることを特徴とするワイヤプローブ装置。該ワイヤプローブ装置が組み込まれた検査冶具。【選択図】    図１
2004226270.tif 000002
【特許請求の範囲】
【請求項１】
ワイヤプローブとこの一方の端部に端子部が連結されており、該端子部側を、電線に接続されたプローブソケットを圧入固定してなるプローブソケット固定プレートの該ソケットに接続して用いられるワイヤプローブ装置において、該端子部が該プローブソケットに嵌合するように形成されていることを特徴とするワイヤプローブ装置。
【請求項２】
端子部の先端が半球状を有する請求項１に記載の装置。
【請求項３】
電線に接続されたプローブソケットを複数圧入固定したプローブソケット固定プレート、ワイヤプローブとその一端に端子部を有し、該端子部を前記プレートのソケットに嵌合させることにより該ソケットに接続してなる複数のワイヤプローブ装置、及び該ワイヤプローブ装置の他端を支えてなるガイドプレートを含む検査冶具。
【発明の詳細な説明】
【０００１】
【発明の属する技術分野】
本発明は、プリント基板及び電気部品などの電気回路を検査するために用いられる検査冶具及び該冶具を構成するワイヤプローブ装置に関する。
【０００２】
【従来の技術】
従来から、プリント基板、あるいは電気部品などの電気回路の通電異常などを検査するためにこれらの被検査部であるピン端子に検査機の冶具を当接させて検査する方法が行われている。このような目的で使用される検査冶具の１つに、例えば、図４及び５に示すような冶具がよく知られている。図４は、従来の検査冶具を模式的に示す図であり、（ａ）は、冶具の平面図であり、（ｂ）は、冶具の部分拡大図である。また図５は、図４に備えられているワイヤプローブ装置を模式的に示す拡大図であり、（ａ）は、冶具内でワイヤプローブ装置がプローブソケットに接続されている状態を示し、（ｂ）は、冶具を組み立てる場合のワイヤプローブ装置をプローブソケットに接続する途中の工程を示す図である。
【０００３】
従来の検査冶具１０は、図４及び図５に示すように、電線４に接続された複数のプローブソケット５を圧入固定してなるプローブソケット固定プレート１１（中継ピンボードとも云う）、該ソケットに対応した貫通口を有し、固定プレートに並列に配置される中継スペーサ１４、ワイヤプローブ２に連結した端子部３先端を前記中継スペーサ１４の貫通口１４ａに挿入し、バネ式プローブ１５を介してソケット５に接続するためにワイヤプローブ装置１の端子部３を圧入固定し、該中継スペーサ１４に並列に配置されるワイヤプローブホルダ１６、及びワイヤプローブ装置１の他端部を貫通状態で支えるガイドプレート１２から構成されている。そして実用上冶具の構造を維持固定させるために、前記ワイヤプローブホルダ１６とガイドプレート１２間には、それらの両端部間を固定するスペーサ１３が設けられている。上記中継スペーサ１４及びプローブ１５は、ワイヤプローブホルダ１６に圧入固定された複数のワイヤプローブ装置１をワイヤプローブホルダと共に固定プレート１１から容易に取り外す目的で組み込まれている。
【０００４】
上記のような検査冶具を組み立てる場合には、例えば、下記のような手順で行われる（５図参照）。まず、固定プレート１１にプローブソケット５を圧入し、該ソケット５を固定プレート１１に固定する。一方、ワイヤプローブホルダ１６にワイヤプローブ装置１の端子部３をそのフランジ３ａの位置まで圧入し、ワイヤプローブ装置１の一方の端部を該ホルダ１６に固定する。そして中継スペーサ１４の貫通口１４ａを、固定プレート１１に固定されたプローブソケット５の端部突出部に合わせて該中継スペーサ１４を該プレート１１に並列に配置する。中継スペーサ１４を配置後、該貫通口１４ａから該プローブ１５先端をプローブソケット５に差し込む。次にワイヤプローブホルダ１６に圧入固定されたワイヤプローブ装置１の端子部先端３ｂが中継スペーサ１４の貫通口内のプローブ１５の他端に接触し、かつ該プローブホルダ１６が中継スペーサ１４に当接するまで該端子部先端を中継スペーサの貫通口に挿入する。最後にワイヤプローブ装置１の他端をガイドプレート１２の貫通口に挿入すると共に、プローブホルダ１６とガイドプレート１２との間にスペーサ１３を固定することで冶具を組み立てることができる。
【０００５】
ところで、従来のワイヤプローブ装置の端子部の先端は、上記のように直接固定プレートのプローブソケットに差し込まれていない。従って、該装置の端子部はプローブソケットに嵌合するように形成されていない（通常は、端子部はソケットの内径より太く形成されている）。
【０００６】
【発明が解決しようとする課題】
上記のような従来の冶具では、組立工程数が多いこと、またワイヤプローブ装置の端子部をワイヤプローブホルダに圧入固定する場合には、例えば、該端子部のフランジの下部をピンセットなどで挟んで行うが、端子部がワイヤプローブから折れやすく、作業性が悪いという問題がある。従って、例えば、破損したワイヤプローブ装置を交換する場合などには、一旦複数のワイヤプローブ装置が固定されたワイヤプローブホルダ自体を冶具から取り外した後、プローブの先端側の端子部を叩くなどして該ホルダから破損したワイヤプローブを抜き取り、別のプローブをホルダに固定するために上記のような圧入作業を行わなければならないため交換作業には非常に手間がかかることになる。
【０００７】
また通常検査冶具は、図４に示すように、ワイヤプローブホルダ１６とガイドプレート１２の大きさ（幅）が異なるために、これらで固定される複数のワイヤプローブ装置（複数の同一のワイヤプローブ装置）の配列ピッチも異なっている。即ち、ワイヤプローブホルダ１６側ではそのピッチが広く、一方ガイドプレート１２側では狭くなっている。このため、ガイドプレート１２側では、各ワイヤプローブ装置１の先端部（ワイヤプローブの先端部）の突出長（出しろ）２ａが、中央部と両端部では異なり、各先端が一定の長さ（一定の出しろ）に揃わない（山形になる）との問題が生じている。これは、図４（ｂ）に示すように、ワイヤプローブ装置の他端である端子部３でそのフランジ３ａがワイヤプローブホルダ１６に固定されている（即ち、フランジ止めされている）ためである。
【０００８】
従って、本発明の目的は、組立工定数が少なく、容易に組み立てることができ、かつガイドプレート側でのワイヤプローブ装置の先端部の突出長を一定の長さになるように調整することができる検査冶具及びそれに用いられるワイヤプローブ装置を提供することである。
【０００９】
【課題を解決するための手段】
本発明は、ワイヤプローブとこの一方の端部に端子部が連結されており、該端子部側を、電線に接続されたプローブソケットを圧入固定してなるプローブソケット固定プレートの該ソケットに接続して用いられるワイヤプローブ装置において、該端子部が該プローブソケットに嵌合するように形成されていることを特徴とするワイヤプローブ装置にある。
【００１０】
また、本発明は、電線に接続されたプローブソケットを複数圧入固定したプローブソケット固定プレート、ワイヤプローブとその一端に端子部を有し、該端子部を前記プレートのソケットに嵌合させることにより該ソケットに接続してなる複数のワイヤプローブ装置、及び該ワイヤプローブ装置の他端を支えてなるガイドプレートを含む検査冶具にもある。
【００１１】
【発明の実施の形態】
図１は、本発明のワイヤプローブ装置１の端子部３の斜視図を示すものであり、（ａ）は、該端子部３がプローブソケット５に嵌合する前の状態を示し、（ｂ）は、該端子部３がプローブソケット５に嵌合している状態を示す。
図１に示すように、本発明のワイヤプローブ装置１は、ワイヤプローブ２とその一端に設けられた端子部３とからなる。端子部３のワイヤプローブ２との連結部はフランジ成形されている。本発明では、端子部３がプローブソケット５に嵌合するように形成されている。即ち、端子部の太さ及び長さはプローブソケット５の内寸（内径やその深さ）に合わせて調整されている。端子部３の長さは、ソケット５の深さよりも若干長く形成されていることが好ましい。それにより、嵌合した時には、ソケット５とフランジ３ａとの間に間隔が開くため、例えば、嵌合状態のソケットから端子部を抜き取る場合に、この間の端子部に例えば、ピンセットなどを当てることができる。
【００１２】
嵌合状態は、例えば、端子部３のフランジ３ａ下部をピンセットなどで挟んで該端子部をプローブソケット５内に比較的容易に差し込むことができ、一方、同様にフランジ３ａの上部を挟んで該端子部３をソケット５から比較的容易に抜くことができる程度の嵌め合い状態であるが、一旦嵌合状態にある場合には、弱い引っ張り力では簡単に該ソケットから端子部が外れることはない状態である。本発明では、端子部の先端３ｂは、プローブソケット５内への挿入がより容易になるように形成されていることが好ましい。例えば、図１に示すように、半球状に形成されていることが好ましい。本発明のワイヤプローブ装置１は、上記のように端子部が特定の形態に調製されていること以外は従来の装置と異なることはなく、従って、従来の装置を利用して製造することができる。
【００１３】
本発明のワイヤプローブ装置１は、検査冶具１０の製造に有利に用いることができる。
図２は、本発明の検査冶具を模式的に示す図であり、そして（ａ）は、冶具の平面図であり、（ｂ）は、その部分拡大図である。また図３は、本発明の検査冶具の主要部の部分拡大図である。
図２及び図３に示すように、本発明の検査冶具１０には、電線４に接続されたプローブソケット５を複数圧入固定したプローブソケット固定プレート１１、上述した本発明のワイヤプローブ装置１の端子部３を前記プローブソケット５に嵌合させることにより該ソケットに接続された複数のワイヤプローブ装置１、及び該ワイヤプローブ装置１の他端を支えてなるガイドプレート１２が含まれている。なお、検査冶具の構造を固定維持させるために、固定プレート１１とガイドプレート１２との間にはそれらの両端部間にスペーサ１３が配置されている。
【００１４】
本発明の検査冶具は、例えば、下記のように組み立てることができる。
まず、固定プレート１１にプローブソケット５を圧入固定する。次に固定されたソケット５に本発明のワイヤプローブ装置１の端子部３をフランジ３ａの下部を挟んで挿入し、該端子部３をソケット５に嵌合させる。ワイヤプローブ装置１の一方が固定された後、次いで、ワイヤプローブ装置１の他端をガイドプレート１２の貫通口１２ａに挿入することにより検査冶具を組み立てることができる。これらの工程においては、複数のワイヤプローブ装置に対して上記のような作業が平行して行われる。
【００１５】
上記方法で組み立てられる本発明の検査冶具は、従来の検査冶具のように、ワイヤプローブ装置を圧入固定するためのワイヤプローブホルダの必要はなく、またこれを組み立てる工程がないために、当然圧入作業も必要はない。また、中継スペーサ及びバネ状プローブも必要ないために、全体に冶具の組立工程数を減少させることができ、従って材料の減少と共に容易に組み立てることができる。また例えば、ワイヤプローブ装置を交換する場合でも、従来のように、ワイヤプローブホルダ自体を冶具から取り外す必要なく、直接目的のワイヤローブ装置のみを交換することができる。
【００１６】
更に固定プレートにプローブソケットを圧入固定する場合、プローブソケットの固定プレート内への埋め込み高さを調整することで、容易にガイドプレートから突出するワイヤプローブ装置の端部の長さ（出しろ）（図２の２ａ）を一定の長さに揃えることができる。即ち、固定プレートの中央部から両端部にかけてソケットの埋め込み高さを図のように徐々に減少させることにより（中央のソケットより両端部側のソケットをより深い位置まで圧入固定する）、固定プレート上で両端部方向に配列されるワイヤプローブ装置の長さの減少分を補うことができる。しかもこの調整は容易に行うことが可能である。
【００１７】
【発明の効果】
本発明のワイヤプローブ装置は、採用するプローブソケットに嵌合するようにその端子部が形成されているために、従来の検査冶具に比べて組立工程数が少なく、容易に検査冶具を製造することができる。またワイヤプローブ装置の交換も容易に行うことができる。更に本発明のワイヤプローブ装置を用いることで、検査冶具のガイドプレート側先端部からの上述した突出長（出しろ）を一定の長さに容易に調整することができる。
【図面の簡単な説明】
【図１】本発明のワイヤプローブ装置の端子部を模式的に示す図であり、（ａ）は、該端子部がプローブソケットに嵌合する前の状態を示し、（ｂ）は、該端子部がプローブソケットに嵌合している状態を示す。
【図２】本発明の検査冶具を模式的に示す図であり、（ａ）は、その平面図であり、（ｂ）は、その部分拡大図である。
【図３】図２に示す本発明の検査冶具の部分拡大図である。
【図４】従来の検査冶具を模式的に示す図であり、（ａ）は、冶具の平面図であり、（ｂ）は、冶具の部分拡大図である。
【図５】従来の検査冶具に組み込まれているワイヤプローブ装置を模式的に示す拡大図であり、（ａ）は、冶具内にワイヤプローブ装置がプローブソケットに接続されている状態を示し、（ｂ）は、冶具を組み立てる場合のワイヤプローブ装置をプローブソケットに接続する途中の工程を示す図である。
【符号の説明】
１    ワイヤプローブ装置
２    ワイヤプローブ
２ａ  突出長（出しろ）
３    端子部
３ａ  フランジ
３ｂ  端子部先端
４    電線
５    プローブソケット
１０  検査冶具
１１  プローブソケット固定プレート
１２  ガイドプレート
１３  スペーサ
１４  中継スペーサ
１５  プローブ
１６  ワイヤプローブホルダ
【図１】
2004226270.tif 000003
【図２】
2004226270.tif 000004
【図３】
2004226270.tif 000005
【図４】
2004226270.tif 000006
【図５】
2004226270.tif 000007